(57)【要約】【課題】アセンブリのデッドスペースを減少させ、電力変換装置のようなアセンブリを小型化を可能とするとともに、複数の円筒状コンデンサを取り付ける場合の工数と部品点数を削減する。【解決手段】複数の円筒状コンデンサ１をアセンブリ６上に横方向に平行に密接に並べて配置し、各円筒状コンデンサ１の外周上に渡した弾性材からなる固定バンド７の両端部７ａを取付ねじ８によりアセンブリ６に取り付け、固定バンド７の両端部は取付ねじ８の締付前は先端部のみアセンブリ６に接触する構造として締付の際に弾性力を発生するようにし、取付ねじ８の締付の際の応力により固定バンド８を介して各円筒状コンデンサ１をアセンブリ６に対して締付固定する。【選択図】図１
2007329360.tif 000002
【特許請求の範囲】
【請求項１】
一つまたは複数の円筒状コンデンサをアセンブリ上に横方向に配置し、または横方向に相互に平行にかつ密接に並べて配置し、円筒状コンデンサの外周上に渡した弾性材からなる固定バンドの両端部を取付ねじによりアセンブリに取り付け、この固定バンドの両端部は取付ねじの締付の際に弾性力を発生する構造とし、取付ねじの締付の際の応力により固定バンドを介して円筒状コンデンサをアセンブリに締付固定したことを特徴とする円筒状コンデンサの取付構造。
【請求項２】
前記固定バンドの両端部は、取付ねじの締付前はアセンブリに対して先端部のみ接触する構造としたことを特徴とする請求項１記載の円筒状コンデンサの取付構造。
【請求項３】
複数の円筒状コンデンサをアセンブリ上に横方向に相互に平行にかつ密接に並べて配置し、各円筒状コンデンサの外周上に渡した弾性材からなる固定バンドの両端部を取付ねじによりアセンブリに取り付け、この固定バンドの両端部は取付ねじの締付の際に弾性力を発生する構造とし、取付ねじの締付の際の応力により固定バンドを介して各円筒状コンデンサをアセンブリに締付固定し、かつ固定バンドの中央上部に突出部を設け、各円筒状コンデンサの上方に取り付けられる部材を取り付ける際の応力により突出部を介して固定バンドを各円筒状コンデンサ側に押圧するようにしたことを特徴とする円筒状コンデンサの取付構造。
【請求項４】
前記固定バンドの両端部は、取付ねじの締付前はアセンブリに対して先端部のみ接触する構造としたことを特徴とする請求項３記載の円筒状コンデンサの取付構造。
【請求項５】
前記突出部は、固定バンドの両側部から斜め上方に突出させたものであることを特徴とする請求項３又は４記載の円筒状コンデンサの取付構造。
【請求項６】
前記突出部は、固定バンドの折曲により形成したことを特徴とする請求項３又は４記載の円筒状コンデンサの取付構造。
【請求項７】
前記突出部は、弾性材からなり、一対の斜め上方に突出した部分を有する部材により形成し、この部材を固定バンドに取り付けたことを特徴とする請求項３又は４記載の円筒状コンデンサの取付構造。
【発明の詳細な説明】
【技術分野】
【０００１】
この発明は、電力変換装置等において電流平滑用等に用いられる円筒状コンデンサの取付構造に関するものである。
【背景技術】
【０００２】
例えば、電力変換装置においては、近年、大容量化と同時に小形化、薄型化、省スペース化が要求されている。図６に示すように、一般に、電力変換装置等において使用される円筒状コンデンサ１は、その周面に金属バンド２をその両端折曲部２ａを締付ねじ３により締め付けて固定し、この円筒状コンデンサ１を電力変換装置のようなアセンブリ４上に垂直に載置し、金属バンド２の径方向突出部２ｂを取付ねじ５によりアセンブリ４に締め付けて固定している。
【０００３】
なお、先行技術文献情報としては、次のものがある。
【特許文献１】実開平１−８３３２４号公報
【特許文献２】特開平１１−２８８８５５号公報
【特許文献３】特開２００６−１２９８号公報
【発明の開示】
【発明が解決しようとする課題】
【０００４】
しかしながら、上記したように、円筒状コンデンサ１を金属バンド２を用いてアセンブリ４に取り付けた場合、金属バンド２には径方向に突出した部分２ａ，２ｂがあるので、円筒状コンデンサ１の外径より金属バンド２の外径の方が大きくなり、アセンブリ４の取付面にデッドスペースが生じる。又、円筒状コンデンサ１のアセンブリ４に対する固定面が垂直方向に限定されるので、アセンブリ４に対する締付ねじ３や取付ねじ５の方向も限定され、作業性が悪い場合があり、電力変換装置のようなアセンブリ４の小型化が阻まれた。また、電力変換装置のようなアセンブリ４では、複数個のコンデンサを使用する場合が非常に多く、この場合コンデンサ同士を直近に並べて配置するが、コンデンサの数が増加するに従ってデッドスペースが増加する。コンデンサ間のデッドスペースの増加は、アセンブリ４の小型化を阻むとともに、コンデンサ間の浮遊インダクタンスを増加させる欠点がある。
【０００５】
この発明は上記のような課題を解決するために成されたものであり、電力変換装置のようなアセンブリのデッドスペースを減少させ、アセンブリの小形化を可能とするとともに、複数の円筒状コンデンサを取り付ける場合の工数及び部品点数を削減することができる円筒状コンデンサの取付構造を得ることを目的とする。
【課題を解決するための手段】
【０００６】
この発明の請求項１に係る円筒状コンデンサの取付構造は、一つまたは複数の円筒状コンデンサをアセンブリ上に横方向に配置し、または横方向に相互に平行にかつ密接に並べて配置し、円筒状コンデンサの外周上に渡した弾性材からなる固定バンドの両端部を取付ねじによりアセンブリに取り付け、この固定バンドの両端部は取付ねじの締付の際に弾性力を発生する構造とし、取付ねじの締付の際の応力により固定バンドを介して円筒状コンデンサをアセンブリに締付固定したものである。
【０００７】
請求項２に係る円筒状コンデンサの取付構造は、前記固定バンドの両端部が、取付ねじの締付前はアセンブリに対して先端部のみ接触する構造としたものである。
【０００８】
請求項３に係る円筒状コンデンサの取付構造は、複数の円筒状コンデンサをアセンブリ上に横方向に相互に平行にかつ密接に並べて配置し、各円筒状コンデンサの外周上に渡した弾性材からなる固定バンドの両端部を取付ねじによりアセンブリに取り付け、この固定バンドの両端部は取付ねじの締付の際に弾性力を発生する構造とし、取付ねじの締付の際の応力により固定バンドを介して各円筒状コンデンサをアセンブリに締付固定し、かつ固定バンドの中央上部に突出部を設け、各円筒状コンデンサの上方に取り付けられる部材を取り付ける際の応力により突出部を介して固定バンドを各円筒状コンデンサ側に押圧するようにしたものである。
【０００９】
請求項４に係る円筒状コンデンサの取付構造は、前記固定バンドの両端部が、取付ねじの締付前はアセンブリに対して先端部のみ接触する構造としたものである。
【００１０】
請求項５に係る円筒状コンデンサの取付構造は、前記突出部が、固定バンドの両側部から斜め上方に突出させたものである。
【００１１】
請求項６に係る円筒状コンデンサの取付構造は、前記突出部が、固定バンドの折曲により形成したものである。
【００１２】
請求項７に係る円筒状コンデンサの取付構造は、前記突出部が、弾性材からなり、一対の斜め上方に突出した部分を有する部材により形成し、この部材を固定バンドに取り付けたものである。
【発明の効果】
【００１３】
以上のようにこの発明の請求項１，２によれば、アセンブリ上に横方向に配置した円筒状コンデンサを両端部が取付ねじの締付の際に弾性力を発生する構造であって、円筒状コンデンサの外周上に渡した弾性材からなる固定バンドにより固定したので、アセンブリのデッドスペースを小さくすることができ、アセンブリを小型化することができる。又、一つの固定バンドと二本の取付ねじにより固定するので、複数の円筒状コンデンサの取付のための部品点数と工数を削減することができる。
【００１４】
請求項３，４によれば、両端部が取付ねじの締付の際に弾性力を発生する構造の固定バンドにより各円筒状コンデンサをアセンブリに締付固定するとともに、固定バンドの中央上部に設けた突出部を各円筒状コンデンサの上方に取り付ける部材の取付の際の応力により突出部を押圧しており、固定バンドによる各円筒状コンデンサの締付固定力を増加させることができる。その他、請求項１，２と同様の効果を有する。
【００１５】
請求項５によれば、固定バンドの中央上部の突出部を固定バンドの両側部から斜め上方に突出させて形成しており、突出部の長さや角度を調整することによりその弾性力を調整し、各円筒状コンデンサの上方に取り付ける部材の取付の際の応力を調整し、固定バンドによる各円筒状コンデンサの締付固定力を調整することができる。その他の効果は請求項３，４と同様である。
【００１６】
請求項６によれば、固定バンドの中央上部の突出部を固定バンドの折曲により形成しており、折曲長さや角度を調整することによりその弾性力を調整し、各円筒状コンデンサの上方に取り付ける部材の取付の際の応力を調整し、固定バンドによる各円筒状コンデンサの締付固定力を調整することができる。その他の効果は請求項３，４と同様である。
【００１７】
請求項７によれば、固定バンドの中央上部の突出部を、弾性材からなり、一対の斜め上方に突出した部分を有する部材により形成し、この部材を固定バンドに取り付けて形成しており、請求項５と同様の効果を奏する。
【発明を実施するための最良の形態】
【００１８】
実施最良形態１
以下、この発明を実施するための最良の形態を図面とともに説明する。図１（ａ），（ｂ）はこの発明の実施最良形態１による円筒状コンデンサの取付構造の斜視図及び正面図を示し、電力変換装置のようなアセンブリ６は水平部６ａと垂直部６ｂとからＬ字状に形成され、水平部６ａ上には複数の円筒状コンデンサ１を横方向に相互に平行にかつ密接に並べて配置し、各円筒状コンデンサ１の外周上に渡した固定バンド７の両端部７ａをこの両端部７ａに設けた孔７ｂに挿通した取付ねじ８を水平部６ａに螺合することにより、アセンブリ６に取り付ける。固定バンド７は鋼板やプラスチック等の弾性材により形成され、その両端部７ａは取付ねじ８の締付の際に弾性力を発生するような構造となっており、この場合両端部７ａは折曲形状になっていて、取付ねじ８の締付前は先端部のみアセンブリ６に対して接触する構造となっており、取付ねじ８の締付の際の応力が固定バンド７全体に伝わり、固定バンド７により各円筒状コンデンサ１をアセンブリ６に対して締付固定するようになっている。なお、各円筒状コンデンサ１の一端はアセンブリ６の垂直部６ｂに当接している。
【００１９】
実施最良形態１においては、一つの固定バンド７により複数の円筒状コンデンサ１を固定しており、しかも固定バンド７はスペースを必要とせず、アセンブリ６のデッドスペースは小さくなり、アセンブリ６の小型化が可能となる。又、一つの固定バンド７により複数の円筒状コンデンサ１を取付、固定しているので、取付のための部品点数及び工数を削減することができる。なお、実施最良形態１においては、円筒状コンデンサ１の数を複数としたが、円筒状コンデンサ１が一個の場合であっても、同様の取付構造とすることができ、固定バンド７はスペースを取らず、アセンブリ６を小型化することができる。
【００２０】
実施最良形態２
図２（ａ），（ｂ）はこの発明の実施最良形態２による円筒状コンデンサの取付構造の斜視図及び要部拡大正面図を示し、実施最良形態１との相違点は、固定バンド７の中央上部に突出部７ｃを設けた点と、アセンブリ６の他の部材９を利用した点にある。即ち、固定バンド７の中央上部に円柱状の突出部７ｃを設けるとともに、各円筒状コンデンサ１の上方に取り付けられるアセンブリ６の他の部材９を取り付ける際の応力により突出部７ｃを下方に押圧し、固定バンド７を各円筒状コンデンサ１側に押圧する。
【００２１】
実施最良形態２においては、両端部が取付ねじの締付の際に弾性力を発生する構造の固定バンドにより各円筒状コンデンサをアセンブリに締付固定するとともに、各円筒状コンデンサ１の上方に設ける部材９の取付の際の応力により固定バンド７の中央上部に設けた円柱状の突出部７ｃを押圧しており、固定バンド７の締付固定力を増加させることができ、複数の円筒状コンデンサ１を実施最良形態１に比べてより強固に固定することができる。その他の効果は実施最良形態１と同様である。
【００２２】
実施最良形態３
図３（ａ）〜（ｄ）はこの発明の実施最良形態３による円筒状コンデンサの取付構造の斜視図、要部拡大平面図、要部拡大正面図及び要部拡大側面図を示し、実施最良形態２との相違点は、固定バンド７の中央上部に設けた突出部７ｄが固定バンド７の両側部から斜め上方に突出させたものである点である。この場合、固定バンド７を主に鋼板により形成し、突出部７ｄの長さや角度を調整してその弾性力を調整し、各円筒状コンデンサ１の上方に取り付ける部材９の取付の際の応力を調整して各円筒状コンデンサ１の固定バンド７による締付固定力を調整することができる。その他の効果は実施最良形態２と同様である。
【００２３】
実施最良形態４
図４（ａ），（ｂ）はこの発明の実施最良形態４による円筒状コンデンサの取付構造の斜視図及び要部拡大正面図を示し、実施最良形態２との相違点は、固定バンド７の中央上部に設けた突出部７ｅを固定バンド７の折曲により形成した点である。この場合も固定バンド７を主に鋼板により形成し、突出部７ｅの折曲角度や長さを調整してその弾性力を調整し、各円筒状コンデンサ１の上方に取り付ける部材９の取付の際の応力を調整して各円筒状コンデンサ１の固定バンド７による締付固定力を調整することができる。その他の効果は実施最良形態２と同様である。
【００２４】
実施最良形態５
図５（ａ），（ｂ）はこの発明の実施最良形態５による円筒状コンデンサの取付構造の斜視図及び要部拡大正面図を示し、実施最良形態２との相違点は、固定バンド７の中央上部に設けた突出部１０を、弾性材からなり、一対の斜め上方に突出した部分を有する部材により形成し、この突出部１０を固定バンド７に溶接等により取り付けた点にある。この場合も固定バンド７を主に鋼板により形成し、突出部１０の長さや角度を調整してその弾性力を調整し、各円筒状コンデンサ１の上方に取り付ける部材９の取付の際の応力を調整して各円筒状コンデンサ１の固定バンド７による締付固定力を調整することができる。その他の効果は実施最良形態２と同様である。
【図面の簡単な説明】
【００２５】
【図１】この発明の実施最良形態１による円筒状コンデンサの取付構造の斜視図及び正面図である。
【図２】この発明の実施最良形態２による円筒状コンデンサの取付構造の斜視図及び要部拡大正面図である。
【図３】この発明の実施最良形態３による円筒状コンデンサの取付構造の斜視図、要部拡大平面図、要部拡大正面図及び要部拡大側面図である。
【図４】この発明の実施最良形態４による円筒状コンデンサの取付構造の斜視図及び要部拡大正面図である。
【図５】この発明の実施最良形態５による円筒状コンデンサの取付構造の斜視図及び要部拡大正面図である。
【符号の説明】
【００２６】
１…円筒状コンデンサ
６…アセンブリ
７…固定バンド
７ａ…端部
７ｂ…孔
７ｃ，７ｄ，７ｅ，１０…突出部
８…取付ねじ
９…部材
【図１】
2007329360.tif 000003
【図２】
2007329360.tif 000004
【図３】
2007329360.tif 000005
【図４】
2007329360.tif 000006
【図５】
2007329360.tif 000007